(57)【特許請求の範囲】
【請求項１】
注意障害のリハビリテーションの支援を行うリハビリテーション支援装置であって、
複数種類の音声データを記憶する音声データ記憶手段と、
複数種類の雑音データを記憶する雑音データ記憶手段と、
前記雑音データ記憶手段から１つ以上の雑音データを選択し混合して得た混合雑音データを作成する雑音作成手段と、
前記音声データ記憶手段から選択された音声データに前記雑音作成手段により作成された混合雑音データを重畳して劣化音声データを作成する劣化音声作成手段と、
前記作成された劣化音声データを音響出力する音響出力手段と、
を有し、
前記雑音作成手段は、前記雑音データ記憶手段から選択し混合する雑音データの数と、前記混合雑音データのゲインとの少なくともいずれかを調整可能であることを特徴とするリハビリテーション支援装置。
【請求項２】
前記劣化音声作成手段及び前記音響出力手段の動作を前記音声データ記憶手段から選択される複数の音声データに対して繰り返し実行する制御手段と、
前記制御手段により繰り返し実行された音響出力の聴取者による前記劣化音声データの了解性に関する正解率を算出する算出手段と、
を更に有し
前記雑音作成手段は、
前記算出された正解率が第１のしきい値を超える場合は、前記了解性に関する難易度が上昇するように、前記雑音データの数と前記ゲインとの少なくともいずれかを増加させ、
前記算出された正解率が前記第１のしきい値より低い第２のしきい値を下回る場合は、前記難易度が低下するように、前記雑音データの数と前記ゲインとの少なくともいずれかを低下させる
ことを特徴とする請求項１に記載のリハビリテーション支援装置。
【請求項３】
患者の重症度を取得する取得手段と、
前記取得した重症度に基づいて、前記難易度の初期値を設定する設定手段と、
を更に有することを特徴とする請求項２に記載のリハビリテーション支援装置。
【請求項４】
前記雑音作成手段は、
前記混合雑音データの周波数帯域を変更可能な帯域制限フィルタ手段を含み、
前記算出された正解率が第１のしきい値を超える場合は、前記了解性に関する難易度が上昇するように、前記混合雑音データの周波数帯域を拡げるよう前記帯域制限フィルタを制御し、
前記算出された正解率が前記第１のしきい値より低い第２のしきい値を下回る場合は、前記難易度が低下するように、前記混合雑音データの周波数帯域を狭めるよう前記帯域制限フィルタを制御する
ことを特徴とする請求項１に記載のリハビリテーション支援装置。
【請求項５】
注意障害のリハビリテーションの支援を行うリハビリテーション支援装置の制御方法であって、
複数種類の雑音データを記憶する雑音データ記憶手段から１つ以上の雑音データを選択し混合して得た混合雑音データを作成する雑音作成ステップと、
複数種類の音声データを記憶する音声データ記憶手段から選択された音声データに前記雑音作成ステップで作成された混合雑音データを重畳して劣化音声データを作成する劣化音声作成ステップと、
前記作成された劣化音声データを音響出力する音響出力ステップと、
を有し、
前記雑音作成ステップは、前記雑音データ記憶手段から選択し混合する雑音データの数と、前記混合雑音データのゲインとの少なくともいずれかを調整可能であることを特徴とするリハビリテーション支援装置の制御方法。
【請求項６】
コンピュータに、請求項５に記載のリハビリテーション支援装置の制御方法の各ステップを実行させるためのプログラム。
【発明の詳細な説明】
【技術分野】
【０００１】
本発明は、注意障害等のリハビリテーションの支援を行うリハビリテーション支援装置に関する。
【背景技術】
【０００２】
注意障害の言語リハビリテーションでは、計算問題を解いたり、国語の問題を解いたりといった、一つの事柄に集中するような課題が与えられる。【０００３】
この分野においては、手話や筆談による意思伝達にかわる音声出力装置に関する提案がある程度で（例えば特許文献１参照）、注意障害に対する言語リハビリテーションを支援するための適切な装置がない状況である。
【先行技術文献】
【特許文献】
【０００４】
【特許文献１】特開２００７−２９３３９５号公報
【発明の概要】
【発明が解決しようとする課題】
【０００５】
注意障害の言語リハビリテーションにおいて、選択的注意の一例として、カクテルパーティー効果が挙げられる。カクテルパーティー効果は複数の音声の中から特定の音声に対して注意を傾けなければ達成できないことから、注意障害の良い訓練になると考えられるが、上記のとおり、適切な訓練装置がないのが現状である。したがって、注意障害の言語リハビリテーションを支援する装置を提供することは、効果的な訓練を実施する上で重要な要請である。【０００６】
その他の目的および利点については、以下の説明によって明らかになろう。
【課題を解決するための手段】
【０００７】
本発明の一側面によれば、注意障害のリハビリテーションの支援を行うリハビリテーション支援装置であって、複数種類の音声データを記憶する音声データ記憶手段と、複数種類の雑音データを記憶する雑音データ記憶手段と、前記雑音データ記憶手段から１つ以上の雑音データを選択し混合して得た混合雑音データを作成する雑音作成手段と、前記音声データ記憶手段から選択された音声データに前記雑音作成手段により作成された混合雑音データを重畳して劣化音声データを作成する劣化音声作成手段と、前記作成された劣化音声データを音響出力する音響出力手段とを有し、前記雑音作成手段は、前記雑音データ記憶手段から選択し混合する雑音データの数と、前記混合雑音データのゲインとの少なくともいずれかを調整可能であることを特徴とするリハビリテーション支援装置が提供される。
【発明の効果】
【０００８】
本発明によれば、注意障害の言語リハビリテーションを効果的に行うことができる。【０００９】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１０】
添付図面は明細書に含まれ、その一部を構成し、本発明の実施の形態を示し、その記述と共に本発明の原理を説明するために用いられる。
【図１】実施形態におけるロボットの外観構成を示す図。
【図２】実施形態におけるロボットの内部構成を示すブロック図。
【図３】実施形態におけるリハビリ用プログラムのモジュール構成の例を示す図。
【図４】実施形態における患者データベースに保持されるデータの構造例を示す図。
【図５】実施形態におけるリハビリ支援処理のフローチャート。
【図６】実施形態におけるリハビリ支援処理におけるホーム画面の例を示す図。
【図７】実施形態における音源選択画面の例を示す図。
【図８】実施形態におけるカクテルパーティーモード設定画面の例を示す図。
【図９】実施形態におけるリハビリ実行画面の例を示す図。
【図１０】カクテルパーティーモードにおけるリハビリ実行処理の変形例に係るフローチャート。
【図１１】実施形態における難易度、ざわめき人数、ノイズレベルの対応テーブルの例を示す図。
【図１２】実施形態における難易度に応じた混合雑音データの帯域制限の例を説明する図。
【発明を実施するための形態】
【００１１】
以下、図面を参照して本発明の好適な実施形態について詳細に説明する。なお、本発明は以下の実施形態に限定されるものではなく、本発明の実施に有利な具体例を示すにすぎない。また、以下の実施形態の中で説明されている特徴の組み合わせの全てが本発明の課題解決のために必須のものであるとは限らない。
【００１２】
図１は、実施形態における言語リハビリテーション支援装置としてのロボット１の外観構成を示す図である。本実施形態におけるロボット１は、患者とインタラクションをとるものであって、患者に対しリハビリテーション（以下「リハビリ」と略記する。）用の言語表現を行う。
【００１３】
ロボット１は、一般的なコンピュータの外観を持つものであってもよいが、患者とインタラクションをとりながらリハビリを行うものであるから、患者がリラックスして親しみが湧くような外観構成を有するとよいであろう。ロボット１は、例えば無線通信を行うためのアンテナ１１１を有する。また、ロボット１には、人の耳及び口に対応する位置にそれぞれマイクロホン１１４及びスピーカ１１２が設けられている。また、ロボット１は、言語聴覚士や患者が使用するためのタッチパネル式の表示・入力デバイスであるタブレット端末１５０を、ケーブル１５１を介して接続可能である。タブレット端末１５０のタッチパネルは、ユーザの指によるタップやなぞり動作を検出可能であるものとする。もっとも、このようなタブレット端末１５０の機能はロボット１自体が予め備えている構成としてもよい。
【００１４】
図２は、ロボット１の内部構成を示すブロック図である。ロボット１は、装置全体の制御を司るＣＰＵ１０１、主記憶装置として機能するＲＡＭ１０２、制御プログラムや固定的なデータを記憶しているＲＯＭ１０３をはじめ、以下の構成を備える。
【００１５】
無線通信コントローラ１０５は、アンテナ１１１を介して行う無線通信を制御する。ＨＤＤ１０６はハードディスク装置であり、オペレーティグシステム（ＯＳ）１０７やリハビリ用プログラム１０８を格納する他、原音データベース（ＤＢ）１１６、雑音ＤＢ１１７、患者ＤＢ１１８を保持する。原音ＤＢ１１６は、無響室等の静かな環境で発音された単語や句、文を録音したデータを収めている。これらは挨拶文、政治経済、サイエンス等の分野ごとに分類されているとよい。また、原音ＤＢ１１６における各音声データの音圧レベルは正規化されていることが望ましい。雑音ＤＢ１１７は、音質評価用にしばしば用いられるホワイトノイズやピンクノイズをはじめ、自動車走行音、工場騒音、鳥や動物の鳴き声といった各種雑音のデータを収めている。また、カクテルパーティーを模擬する人のざわめき音を形成するための、人の喋り声のデータも複数種類（例えば２０種類）収めている。雑音ＤＢ１１７における各雑音データの音圧レベル（ノイズレベル）も正規化されていることが望ましい。患者ＤＢ１１８は、被検者となる患者の個人情報、障害種別及びその重症度を含む各種情報を保持する。
【００１６】
インタフェース（Ｉ／Ｆ）１０９は、タブレット端末１５０をケーブル１５１を介して接続する。音声コントローラ１１０は、不図示のＡ／Ｄコンバータ、Ｄ／Ａコンバータ、アンチエイリアシングフィルタ等を含み、スピーカ１１２を用いた音声出力及びマイクロホン１１４からの音声入力を行う。
【００１７】
図３は、リハビリ用プログラム１０８のモジュール構成の例を示している。患者登録／検索モジュール１２１は、患者ＤＢ１１８への新規登録処理、及び患者ＤＢ１１８からの患者の検索処理に係るファンクションモジュールである。リハビリ支援メインモジュール１２３は、ロボット１によるリハビリの実行を担う。音声合成モジュール１２４は、ロボット１によるリハビリにおける音響出力を行う際に音声合成を実行する。音声認識モジュール１２５は、患者の発話を認識する。この音声認識は、単語認識機能のみならず、文を認識可能な連続音声認識の機能を備える。
【００１８】
図４は、患者ＤＢ１１８のデータ構造例を示す図である。図示するように、各データエントリには、固有の患者ＩＤが付与され、氏名、生年月日等の患者の個人情報が記述される他、障害種別及びその重症度、及びリハビリの履歴が記述される。障害種別には例えば、注意障害及び失語症が含まれる。また、ここでは、重症度の値として例えば、軽度には１が、中度には２が、重度には３が設定される。リハビリ履歴は、過去にリハビリを行った日時や提示した音声やその回数等を含み、これを参照することで言語聴覚士は今後のリハビリの計画を立てやすくなるであろう。
【００１９】
図５は、本実施形態におけるリハビリ支援処理のフローチャートである。このフローチャートに対応するプログラムは、リハビリ用プログラム１０８に含まれ、ＲＡＭ１０２にロードされてＣＰＵ１０１によって実行される。このプログラムが実行されるとまず、図６に示されるようなホーム画面がタブレット端末１５０に表示される。図示のように、ホーム画面は、患者登録ボタン６０１、患者選択ボタン６０２、リハビリ開始ボタン６０３を含む。ユーザ（例えば言語聴覚士）がいずれかのボタンをタップすると、対応する画面に遷移することができる。
【００２０】
患者登録ボタン６０１又は患者選択ボタン６０２がタップされることで、患者の登録又は選択が行われる（Ｓ１）。患者の登録及び選択の詳細は本発明と直接関係がないので、それらの画面例を図示することは、省略する。登録時には、図４に示したような事項を記述していくことになる。登録又は選択が完了すると画面はホーム画面に戻るものとする。
【００２１】
Ｓ２では、リハビリ開始ボタン６０３がタップされるのを待機している。リハビリ開始ボタン６０３がタップされると、処理は原音及び雑音を選択する処理（Ｓ３）へと進む。ここで画面は図７に示すような音源選択画面に遷移する。図７の音源選択画面において、ユーザが原音声選択ボタン７０１をタップすると、候補ウィンドウ７０２が表示されるので、その中から所望するジャンルを選択できる。なお、「０：自動選択」を選択すると、原音の選択は装置側に委ねられる。このときロボット１は原音を所定の順序で原音を選んでもよいし、ランダムに選んでもよい。次にユーザが雑音種類選択ボタン７０３をタップすると、候補ウィンドウ７０４が表示されるので、その中から所望する雑音の種類を選択できる。なお、「０：自動選択」を選択すると、上記と同様、ロボット１は、所定の順序又はランダムに、雑音を選択することになる。
【００２２】
ユーザがカクテルパーティーモード選択ボタン７０５をタップすると、ロボット１は、雑音種類選択ボタン７０３による雑音選択を無効とし、カクテルパーティー効果（すなわち音声の選択的聴取）の弁別訓練を行うモードに入る。このカクテルパーティーモードでの処理については後述する。
【００２３】
キャンセルボタン７０６がタップされると、この画面での入力内容を破棄して図６のホーム画面に戻る。一方、ネクストボタン７０７がタップされると、この画面での入力内容に応じて次の画面に遷移する。具体的には、Ｓ４でカクテルパーティーモード選択ボタン７０５のＯＮ／ＯＦＦを確認し、カクテルパーティーモード選択ボタン７０５がＯＦＦの場合、処理はＳ５に進む。Ｓ５では、選択された原音データと雑音データとを重畳した音声データを作成する。本明細書において、原音データに雑音データを重畳して得た音声データを「劣化音声データ」という。このとき、画面は図９に示されるようなリハビリ実行画面に遷移する。図９のリハビリ実行画面において、発音実行ボタン９０１がタップされると、ＣＰＵ１０１は、作成された劣化音声データを音声コントローラ１１０に渡し、スピーカ１１２を介して音響出力する（Ｓ９）。患者には、出力された劣化音声を聴取し、例えばその音声を復唱してもらう。あるいは、出力された劣化音声の話題に関する問題を言語聴覚士が出題し、患者にそれを回答してもらうようにしてもよい。劣化音声を聞き取ることは一般に、クリアな原音を聞くよりも集中力を要する。そのため、このような劣化音声を聴取してもらうことは、注意障害の患者にとっては注意力向上のよい訓練となる。また、雑音が重畳された劣化音声を聴取することは脳活動の活性化につながり、これが注意障害の患者に良い影響を与える側面もあると考えられる。
【００２４】
言語聴覚士は、患者の回答につき正解／不正解の情報を入力することができる（Ｓ１０）。例えば、患者の回答が正解である場合は、図９の正解ボタン９０３をタップし、不正解である場合は、不正解ボタン９０４をタップする。あるいは、ＣＰＵ１０１は、音声認識モジュール１２５をコールして、マイクロホン１１４を介して入力した患者の回答に係る発声を音声認識し、正解／不正解を自動判定してもよい。言語聴覚士によって正解ボタン９０３がタップされ、又は、音声認識によって正解と判定された場合は、ＣＰＵ１０１は音声合成モジュール１２４をコールして、音声合成により「正解です！」との合成音をスピーカ１１２から発するとよい。あわせて、ロボット１が喜ぶ動作を行ってもよいであろう。なお、「戻る」ボタン９０５がタップされると、前画面に戻る。「次の音」ボタン９０６がタップされると、処理を繰り返すことが決定され（Ｓ１１でＮＯ）、Ｓ３に戻って、処理が繰り返される。「やめる」ボタン９０７がタップされると、これまでの正解／不正解の情報等がリハビリ履歴として患者ＤＢ１１８に記憶される。
【００２５】
一方、カクテルパーティーモード選択ボタン７０５がＯＮ状態の場合、処理はＳ４からＳ６に進み、Ｓ５の処理に代えてＳ６〜Ｓ８の処理が実行される。処理がＳ４からＳ６に進むと、画面は図８のカクテルパーティーモードの設定画面に遷移する。図８のカクテルパーティーモードの設定画面において、ユーザが「人のざわめき人数」設定ボタン８０１をタップすると、候補ウィンドウ８０２が表示されるので、その中から所望するざわめき人数Ｐを選択することができる。また、ユーザは、スライドバー８０３をスライドさせることで作成する雑音データのノイズレベルＬを変更することができる。この例では、スライドバー８０３を左に移動させるとノイズレベルＬを低減し、右に移動させるとノイズレベルＬを増大させることができる。「戻る」ボタン８０４がタップされると、ここでの設定値は破棄されて前画面に戻る。ネクストボタン８０５がタップされると、ここでの設定値が有効化されて、処理はＳ７に進む。Ｓ７では、ＣＰＵ１０１は、雑音ＤＢ１１７から、設定されたＰ個の人のざわめき音を取得して混合するとともに、その混合結果を、設定されたノイズレベルＬに対応するゲインで増幅することで、混合雑音データを作成する。ここで、ノイズレベルＬに対応するゲインとは、ノイズレベルＬを達成するためのゲインをいう。雑音ＤＢ１１７における各雑音データのノイズレベルが正規化されていれば、ゲインは、元のノイズレベルに対する設定されたノイズレベルＬの比率によって、容易に求めることができる。ゲインによる増幅は、上記のとおりデジタルデータの各サンプルにゲイン値を乗じることで行ってもよいし、音声コントローラ１１０又はスピーカ１１２に含まれうる不図示の可変増幅器の増幅率をそのゲインに対応する値に設定することで行ってもよいことは、当業者には容易に理解されよう。なお、本実施形態においては、ざわめき人数Ｐは１をとりうるものとする。したがって、Ｐ＝１の場合の混合雑音は実質的には単一種類の雑音そのものである。その後、処理はＳ９に進み、ＣＰＵ１０１は、Ｓ３で選択された原音データにＳ８で作成した混合雑音データを重畳して劣化音声データを作成する。このとき、画面は図９のリハビリ実行画面に遷移する。そして、上述したように、図９のリハビリ実行画面において、発音実行ボタン９０１がタップされると、ＣＰＵ１０１は、作成された劣化音声データを音声コントローラ１１０に渡し、スピーカ１１２を介して音響出力する（Ｓ９）。
【００２６】
このように、本実施形態によれば、リハビリテーション支援装置としてのロボット１は、カクテルパーティーモードを有し、カクテルパーティーの環境音を作成する際に、人のざわめき人数及びノイズレベルの少なくともいずれかを調整可能である。人のざわめき人数を増やし、また、ノイズレベルを増大すれば、音響出力された劣化音声データの聴取者による了解性（正しく理解されたかどうか）に関する難易度を増加することができる。逆に、人のざわめき人数を少なくし、また、ノイズレベルを低減すれば、難易度を低下させることができる。これにより、注意障害の患者に対して、カクテルパーティー効果の訓練を効率的に行うことができる。
【００２７】
＜変形例１＞
以下では、カクテルパーティーモードにおいて、患者の聞き取り能力に応じた適切な劣化音声データを自動で作成する処理について説明する。図１０は、カクテルパーティーモードにおけるリハビリ実行処理の変形例に係るフローチャートである。カクテルパーティーモードに入ると、ＣＰＵ１０１はまず、難易度Ｄの初期設定を行う（Ｓ２１）。ここで、難易度とは、音響出力の聴取者による劣化音声データの了解性に関する困難度合をいう。難易度Ｄの初期値は例えば、図４に示した患者ＤＢ１１８に記述されている障害の重症度に応じた値とするとよい。すなわち、上述したように重症度の値として、軽度には１、中度には２、重度には３が設定されている場合、難易度Ｄの初期値はそれぞれ、１、２、３が対応する。
【００２８】
次に、人のざわめき人数とノイズレベルをそれぞれ、難易度Ｄに依存した値に設定する（Ｓ２２）。すなわち、人のざわめき人数はＰ（Ｄ）と表され、ノイズレベルはＬ（Ｄ）と表される。ここで、ロボット１は、図１１に示されるような、難易度、ざわめき人数、ノイズレベルの対応テーブルを保持しているとよい。この対応テーブルによれば、例えば難易度Ｄが３の場合、人のざわめき人数Ｐは３、ノイズレベルＬは１として求められる。
【００２９】
次に、ＣＰＵ１０１は、雑音ＤＢ１１７から、設定されたＰ個の人のざわめき音を取得して混合するとともに、その混合結果を、設定されたノイズレベルＬに対応するゲインで増幅することで、混合雑音データを作成する（Ｓ２３）。次に、ＣＰＵ１０１は、図７の画面で選択されたジャンルから、あるいはランダムに、原音データを選択する（Ｓ２４）。そして、ＣＰＵ１０１は、Ｓ２４で選択した原音データにＳ２３で作成した混合雑音データを重畳して劣化音声データを作成する（Ｓ２５）。このとき、画面は図９のリハビリ実行画面に遷移する。そして、上述したように、図９のリハビリ実行画面において、発音実行ボタン９０１がタップされると、ＣＰＵ１０１は、作成された劣化音声データを音声コントローラ１１０に渡し、スピーカ１１２を介して音響出力する（Ｓ２６）。
【００３０】
患者には、出力された劣化音声を聴取し、例えばその音声を復唱してもらう。言語聴覚士は、患者の回答につき正解／不正解の情報を入力する（Ｓ２７）。例えば、患者の回答が正解である場合は、図９の正解ボタン９０３をタップし、不正解である場合は、不正解ボタン９０４をタップする。次にＳ２８で、出題する原音データがまだ残っている場合は、Ｓ２４に戻って、他の原音データを選択して処理を繰り返す。こうして正解率を算出するための判定結果の母数が蓄積されていく。
【００３１】
そして、Ｓ２９で、正解率ＣＲを算出する。算出した正解率ＣＲが第１のしきい値ＴＨ１を超えたか否かを判定する（Ｓ３０）。正解率ＣＲが第１のしきい値ＴＨ１を超えた場合（Ｓ３０でＹＥＳ）は、その患者にとっては出題が易しかったと評価できる。そこでこの場合は難易度Ｄを１段階、上昇させる（Ｓ３１）。ここで図９の「やめる」ボタン９０７がタップされて終了割込みがないかぎり、Ｓ２２に戻って処理を繰り返す。
【００３２】
次に、正解率ＣＲが第１のしきい値ＴＨ１より低い第２のしきい値ＴＨ２を下回る場合（Ｓ３２でＹＥＳ）は、その患者にとっては出題が難しかったと評価できる。そこでこの場合は難易度Ｄを１段階引き下げる（Ｓ３３）。ここで図９の「やめる」ボタン９０７がタップされて終了割込みがないかぎり、Ｓ２２に戻って処理を繰り返す。
【００３３】
以上の処理によれば、自動的に効率よく患者に対し難易度を設定することが可能になる。
【００３４】
＜変形例２＞
上述の変形例１は、算出した正解率に応じて難易度が変更されるように、雑音データの混合数とノイズレベルとの少なくともいずれかを変更するものであった。これに対し、算出した正解率に応じて難易度が変更されるように、雑音の周波数帯域を調整するようにしてもよい。以下、これを変形例２として説明する。
【００３５】
例えば、リハビリ用プログラム１０８は、混合雑音データの周波数帯域を変更可能な帯域制限フィルタモジュールを更に含む。帯域制限フィルタモジュールは、例えば可変バンドパスフィルタを形成する。
【００３６】
また、ここでは難易度Ｄを易しい順に１，２，３，４の４段階であるとする。図１２は、音声周波数帯域の模式図である。想定する音声周波数帯域を図示のように４分割し、低い方からＦ１，Ｆ２，Ｆ３，Ｆ４とする。均等分割であってもよいし、不均等分割であってもよい。そして、難易度Ｄ＝１のときは、混合雑音データの周波数帯域をＦ４にする。この場合、雑音が重畳される帯域がＦ４だけに制限されるので、聞き取り困難性は低いであろう。難易度Ｄ＝２のときは、混合雑音データの周波数帯域をＦ３＋Ｆ４にする。難易度Ｄ＝３のときは、混合雑音データの周波数帯域をＦ２＋Ｆ３＋Ｆ４にする。そして、難易度Ｄ＝４のときは、混合雑音データの周波数帯域をＦ１＋Ｆ２＋Ｆ３＋Ｆ４にする。つまり、この場合は帯域制限なし、すなわち全帯域で雑音を重畳するので、聞き取り困難性は最高となる。
【００３７】
このような割り当てにより、図１０の処理のように、正解率が第１のしきい値ＴＨ１を超える場合は、難易度Ｄが上昇するように、混合雑音データの周波数帯域を拡げるよう帯域制限フィルタを制御すればよい。また、正解率が第１のしきい値ＴＨ１より低い第２のしきい値ＴＨ２を下回る場合は、難易度Ｄが低下するように、混合雑音データの周波数帯域を狭めるよう帯域制限フィルタを制御すればよい。
【００３８】
本発明は上記実施の形態に限定されるものではなく、本発明の主旨及び範囲から離脱することなく、様々な変更及び変形が可能である。従って、本発明の範囲を公にするために、以下の請求項を添付する。
【図１】
0005997369.tif 000002
【図２】
0005997369.tif 000003
【図３】
0005997369.tif 000004
【図４】
0005997369.tif 000005
【図５】
0005997369.tif 000006
【図６】
0005997369.tif 000007
【図７】
0005997369.tif 000008
【図８】
0005997369.tif 000009
【図９】
0005997369.tif 000010
【図１０】
0005997369.tif 000011
【図１１】
0005997369.tif 000012
【図１２】
0005997369.tif 000013